(57)【要約】  本開示は、電子デバイス及び表示方法に関し、電子デバイス分野に属する。前記電子デバイスは、ディスプレイ画面及びベゼルを少なくとも含み、前記ベゼルは前記ディスプレイ画面の側面を取り囲んでおり、前記ディスプレイ画面は４つの画面角を有し、かつ、前記４つの画面角は丸められており、前記ベゼルは４本の辺を含んでおり、前記４本の辺のうち任意の１本の辺が他の３つの辺のうち２本の辺とそれぞれ交差すると共に１本の辺と平行となることによって４つのベゼル角を形成しており、前記４つのベゼル角は前記４つの画面角にそれぞれ対応し、かつ、前記４つのベゼル角は丸められており、相互に対応する画面角の頂点とベゼル角の頂点との間の距離は、既定の距離よりも小さくない。本開示は、電子デバイスの狭ベゼル化を実現している。【選択図】図２Ａ
2019500631.tif 000002
【特許請求の範囲】
【請求項１】
ディスプレイ画面及びベゼルを少なくとも含み、
前記ベゼルは前記ディスプレイ画面の側面を取り囲んでおり、
前記ディスプレイ画面は４つの画面角を有し、かつ、前記４つの画面角は丸められており、
前記ベゼルは４本の辺を含んでおり、前記４本の辺のうち任意の１本の辺が他の３つの辺のうち２本の辺とそれぞれ交差すると共に１本の辺と平行となることによって４つのベゼル角を形成しており、
前記４つのベゼル角は前記４つの画面角にそれぞれ対応し、かつ、前記４つのベゼル角は丸められており、
相互に対応する画面角の頂点とベゼル角の頂点との間の距離は、既定の距離よりも小さくない、
電子デバイス。
【請求項２】
前記４つの画面角のそれぞれの曲率が前記４つのベゼル角のそれぞれの曲率と等しい、請求項１に記載の電子デバイス。
【請求項３】
前記４つの画面角のそれぞれに対応する中心角が前記４つのベゼル角のそれぞれに対応する中心角と等しい、請求項１に記載の電子デバイス。
【請求項４】
前記ディスプレイ画面が液晶ディスプレイ画面である、請求項１に記載の電子デバイス。
【請求項５】
前記４つの画面角が、前記ディスプレイ画面の元々の４つの直角を円弧状にそれぞれ切断することによって形成される、請求項１〜４のいずれか１項に記載の電子デバイス。
【請求項６】
請求項１〜５のいずれか１項に記載の電子デバイスに適用される表示方法であって、
既定のフローティングレイヤを取得するステップであって、前記既定のフローティングレイヤは、第１部分及び第２部分を含み、前記第１部分は黒色であり、前記第２部分は透明であり、前記第１部分と前記第２部分との間の境界線は円弧形の滑らかな曲線である、ステップと、
ページを表示する際に、前記ページの上に前記既定のフローティングレイヤを表示するステップであって、それにより前記第１部分が前記ディスプレイ画面の４つの画面角の辺縁に表示されるページを覆い隠すようにする、ステップと
を含む、表示方法。
【請求項７】
ページを表示する際に、前記ページの上に前記既定のフローティングレイヤを表示する前記ステップが、
前記ページを表示する際に、前記ディスプレイ画面上の前記第１部分に対応するピクセルを黒色となるように制御することを含む、請求項６に記載の方法。
【請求項８】
前記境界線は、前記ディスプレイ画面の丸められた画面角の辺縁の内側に位置している、請求項６に記載の方法。
【請求項９】
前記既定のフローティングレイヤの長さは、前記ディスプレイ画面の長さと同じであり、前記既定のフローティングレイヤの幅は、前記ディスプレイ画面の幅と同じである、請求項６に記載の方法。
【発明の詳細な説明】
【技術分野】
【０００１】
関連出願の相互参照
本出願は、２０１６年９月２８日に中国国家知識産権局に出願された中国特許出願第２０１６１０８６０８１２．２号に基づくものであると共に、該中国特許出願の優先権を主張するものであり、該中国特許出願の全ての内容が、参照により本出願に組み込まれる。
【０００２】
技術分野
本開示は、電子デバイス分野に関し、より具体的には、電子デバイス及び表示方法に関する。
【背景技術】
【０００３】
電子技術の不断の発展に伴い、携帯電話、タブレットＰＣ等の様々な電子デバイスが、人々の日常生活に広く利用されるようになってきた。ユーザは、電子デバイスを選ぶ際に、電子デバイスが提供する機能だけでなく、電子デバイスの構造にもますます注目するようになってきている。
【０００４】
電子デバイスの構造は、通常、図１に示されるようなものである。この電子デバイスは、ディスプレイ画面１０１とベゼル１０２とを含み、ベゼル１０２はディスプレイ画面１０１の側面を取り囲んでいる。ディスプレイ画面１０１の４つの画面角１０１１はいずれも直角であり、ベゼル１０２の４つのベゼル角１０２１は丸められている。ベゼル１０２の４本の辺の幅は、相互に対応する画面角１０１１の頂点とベゼル角１０２１の頂点との間における、それぞれの指定距離によって決定される。
【発明の概要】
【発明が解決しようとする課題】
【０００５】
関連技術における問題を解決するため、本開示は電子デバイス及び表示方法を提供する。その技術的解決手段は、以下の通りである。
【課題を解決するための手段】
【０００６】
本開示における実施形態の第１態様によれば、ディスプレイ画面及びベゼルを少なくとも含み、
前記ベゼルは前記ディスプレイ画面の側面を取り囲んでおり、
前記ディスプレイ画面は４つの画面角を有し、かつ、前記４つの画面角は丸められており、
前記ベゼルは４本の辺を含んでおり、前記４本の辺のうち任意の１本の辺が他の３つの辺のうち２本の辺とそれぞれ交差すると共に１本の辺と平行となることによって４つのベゼル角を形成しており、
前記４つのベゼル角は前記４つの画面角にそれぞれ対応し、かつ、前記４つのベゼル角は丸められており、
相互に対応する画面角の頂点とベゼル角の頂点との間の距離は、既定の距離よりも小さくない、
電子デバイスが提供される。
【０００７】
ある実現可能な方式では、前記４つの画面角のそれぞれの曲率は、前記４つのベゼル角のそれぞれの曲率と等しい。
【０００８】
別の実現可能な方式では、前記４つの画面角のそれぞれに対応する中心角は、前記４つのベゼル角のそれぞれに対応する中心角と等しい。
【０００９】
別の実現可能な方式では、前記ディスプレイ画面は、液晶ディスプレイ画面である。
【００１０】
別の実現可能な方式では、前記４つの画面角は、前記ディスプレイ画面の元々の４つの直角を円弧状にそれぞれ切断することによって形成される。
【００１１】
本開示における実施形態の第２態様によれば、本開示の実施形態の第１態様における電子デバイスに適用される表示方法が提供され、該方法は、
既定のフローティングレイヤを取得するステップであって、前記既定のフローティングレイヤは、第１部分及び第２部分を含み、前記第１部分は黒色であり、前記第２部分は透明であり、前記第１部分と前記第２部分との間の境界線は円弧形の滑らかな曲線である、ステップと、
ページを表示する際に、前記ページの上に前記既定のフローティングレイヤを表示するステップであって、それにより前記第１部分が前記ディスプレイ画面の４つの画面角の辺縁に表示されるページを覆い隠すようにする、ステップと
を含む。
【００１２】
ある実現可能な方式では、ページを表示する際に、前記ページの上に前記既定のフローティングレイヤを表示する前記ステップは、
前記ページを表示する際に、前記ディスプレイ画面上の前記第１部分に対応するピクセルを黒色となるように制御することを含む。
【００１３】
別の実現可能な方式では、前記境界線は、前記ディスプレイ画面の丸められた画面角の辺縁の内側に位置している。
【００１４】
別の実現可能な方式では、前記既定のフローティングレイヤの長さは、前記ディスプレイ画面の長さと同じであり、前記既定のフローティングレイヤの幅は、前記ディスプレイ画面の幅と同じである。
【００１５】
本開示の実施形態により提供される技術的解決手段は、以下の有利な効果を有し得る。
【００１６】
本実施形態により提供される電子デバイス及び方法は、ディスプレイ画面の４つの画面角及びベゼルの４つのベゼル角を丸められた角に設定することによって、ディスプレイ画面のサイズが変わらないことが保証される状況下において、４つの画面角の頂点をディスプレイ画面の中心にさらに近づけることができると共に、相互に対応する画面角の頂点とベゼル角の頂点との間の指定距離が該既定の距離よりも小さくないことが満たされる条件下において、ベゼルの４本の辺の幅をなお減少させることができ、それによって、電子デバイスの狭ベゼル化を実現した。
【００１７】
上述の一般的説明及び後述の詳細な説明は、単なる例示であって、本開示を限定するように解釈されるものではないことを理解されたい。
【図面の簡単な説明】
【００１８】
添付の図面は、本明細書に組み込まれると共に本明細書の一部を構成し、本開示に一致する実施形態を示しており、本明細書と共に本開示の原理を説明するのに役立つ。
【００１９】
【図１】図１は、関連技術に基づく電子デバイスの構造を示す概略図である。
【図２Ａ】図２Ａは、本開示の例示の実施形態に基づく電子デバイスの構造を示す概略図である。
【図２Ｂ】図２Ｂは、本開示の例示の実施形態に基づく丸められた角を示す概略図である。
【図２Ｃ】図２Ｃは、本開示の例示の実施形態に基づく電子デバイスの構造を示す概略図である。
【図２Ｄ】図２Ｄは、本開示の例示の実施形態に基づく指定距離を示す概略図である。
【図２Ｅ】図２Ｅは、本開示の例示の実施形態に基づく円弧の曲率を示す概略図である。
【図２Ｆ】図２Ｆは、本開示の例示の実施形態に基づく中心角を示す概略図である。
【図２Ｇ】図２Ｇは、本開示の例示の実施形態に基づく中心角を示す概略図である。
【図３Ａ】図３Ａは、本開示の例示の実施形態に基づく表示方法のフローチャートである。
【図３Ｂ】図３Ｂは、本開示の例示の実施形態に基づく電子デバイスの構造を示す概略図である。
【図３Ｃ】図３Ｃは、本開示の例示の実施形態に基づく境界線を示す概略図である。
【図３Ｄ】図３Ｄは、本開示の例示の実施形態に基づく表示を示す概略図である。
【図４】図４は、本開示の例示の実施形態に基づく電子デバイスのブロック図である。
【発明を実施するための形態】
【００２０】
本開示の目的、技術的解決手段及び利点をより明確にするため、以下、実施形態及び図面を参照して、本開示をさらに詳細に説明する。ここで、本開示に示される例示の実施形態及びその説明は、本開示を説明するために用いられるが、本開示を限定することを意図するものではない。
【００２１】
本開示の実施形態は、電子デバイス及び表示方法を提供する。以下、図面を参照して、本開示を詳細に説明する。
【００２２】
図２Ａは、本開示の例示の実施形態に基づく電子デバイスの構造を示す概略図である。図２Ａに示されるように、該電子デバイスは、ディスプレイ画面２０１及びベゼル２０２を少なくとも含み、該ベゼル２０２は該ディスプレイ画面２０１の側面を取り囲んでいる。該ディスプレイ画面２０１は４つの画面角２０１１を有し、かつ、該４つの画面角２０１１は丸められている。該ベゼル２０２は４本の辺を含んでおり、該４本の辺のうち任意の１本の辺が他の３つの辺のうち２本の辺とそれぞれ交差すると共に１本の辺と平行となることによって４つのベゼル角２０２１を形成している。該４つのベゼル角２０２１は該４つの画面角２０１１にそれぞれ対応し、かつ、該４つのベゼル角２０２１は丸められている。
【００２３】
該４本の辺は、第１辺２０２２と、第２辺２０２３と、第３辺２０２４と、第４辺２０２５とを含む。該第１辺２０２２は、該第２辺２０２３と平行であり、該第３辺２０２４は、該第４辺２０２５と平行である。該第１辺２０２２は、該第３辺２０２４及び該第４辺２０２５とそれぞれ交差しており、該第２辺２０２３は、該第３辺２０２４及び該第４辺２０２５とそれぞれ交差している。
【００２４】
丸められた角とは、元々の角の２本の辺と接する円弧によって元々の角を置き換えることにより形成された円弧形の角のことをいう。図２Ｂに示されるように、Ｏは角ＡＯＢの頂点であり、線ＯＤ及び線ＯＥは、角ＡＯＢの２本の辺を構成する。円弧ＡＣＢは線ＡＤ及び線ＢＥと接しており、接点は点Ａ及び点Ｂであるため、該円弧ＡＣＢ、線ＡＤ及び線ＢＥは、丸められた角を形成する。
【００２５】
該４つの画面角２０１１は、該ディスプレイ画面２０１の元々の４つの直角を円弧状にそれぞれ切断することによって形成される。図２Ｃに示されるように、ディスプレイ画面２０１の元々の４つの角はいずれも直角であり、これらを図２Ｃに示される円弧の通りにそれぞれ切断することによって、４つの丸められた角２０１１が形成される。
【００２６】
また、該ディスプレイ画面の切断工程は様々なものであってもよく、レーザ切断工程、水切断工程等が含まれるが、本実施形態はこれらに限定されない。
【００２７】
図２Ａに示されるように、４つの画面角２０１１は４つのベゼル角２０２１にそれぞれ対応しており、具体的には次の通りである：該ディスプレイ画面２０１の左上角は、該ベゼル２０２の左上角に対応しており、該ディスプレイ画面２０１の左下角は、該ベゼル２０２の左下角に対応しており、該ディスプレイ画面２０１の右上角は、該ベゼル２０２の右上角に対応しており、該ディスプレイ画面２０１の右下角は、該ベゼル２０２の右下角に対応している。
【００２８】
本実施形態では、相互に対応する画面角２０１１の頂点とベゼル角２０２１の頂点との間の距離は、既定の距離よりも小さくない。
【００２９】
該既定の距離とは、画面角を十分に保護可能な画面角の最小距離のことをいう。頂点の間の距離が該既定の距離より小さい時には、画面角の外側のベゼルの幅が小さすぎるため、画面角が摩損を受けやすくなると考えられる。
【００３０】
丸められた角の頂点とは、該丸められた角を形成する円弧の中点、すなわち、円弧の両端との距離が等しい該円弧上の点をいう。左上角を例に挙げて、画面角２０１１及びベゼル角２０２１の拡大図を図２Ｄに示す。点Ｅ及び点Ｆはそれぞれ、該ベゼル角２０２１及び該画面角２０１１の頂点である。２つの頂点Ｅ及びＦの間の距離Ｌは指定距離であり、該指定距離は既定の距離よりも小さくない。
【００３１】
関連技術では、ディスプレイ画面の４つの画面角がいずれも直角であり、ベゼルの４つのベゼル角がいずれも丸められた角であり、ベゼルの４本の辺の幅が、相互に対応する画面角の頂点とベゼル角の頂点との間のそれぞれの指定距離によって決定される。しかしながら、それぞれの画面角を十分に保護するには、それぞれの指定距離を規定の距離よりも小さくするべきではなく、そのため、ベゼルの４本の辺の幅を制限なく減少させることができなくなる。
【００３２】
本実施形態では、ディスプレイ画面２０１のサイズが変わらないことが保証される状況下において、ディスプレイ画面２０１の４つの画面角２０１１を丸められた角に設定することによって、４つの画面角２０１１の頂点をディスプレイ画面２０１の中心にさらに近づけることができる。そのため、ベゼルの４本の辺の幅が減少したとしても、相互に対応する画面角２０１１の頂点とベゼル角２０２１の頂点との間の指定距離が該既定の距離より小さくないことを保証することができ、依然としてディスプレイ画面２０１を保護する作用も達成することができる。
【００３３】
なお、該電子デバイスは、スマートフォン、テレビ、タブレットＰＣ等の様々なタイプの電子デバイスであってもよく、本実施形態はこれらに限定されない。
【００３４】
本実施形態により提供される電子デバイスは、ディスプレイ画面の４つの画面角及びベゼルの４つのベゼル角を丸められた角に設定することによって、ディスプレイ画面のサイズが変わらないことが保証される状況下において、４つの画面角２０１１の頂点をディスプレイ画面２０１の中心にさらに近づけることができると共に、相互に対応する画面角の頂点とベゼル角の頂点との間の指定距離が該既定の距離よりも小さくないことが満たされる条件下において、ベゼルの４本の辺の幅をなお減少させることができ、それによって、電子デバイスの狭ベゼル化が実現される。加えて、丸められた画面角を構成すること及びベゼルを狭くすることによって、電子デバイスの美観が大幅に向上する。
【００３５】
ある実現可能な方式では、電子デバイスの美観を向上させるため、該４つの画面角２０１１のそれぞれの曲率は、該４つのベゼル角２０２１のそれぞれの曲率と等しくなる。
【００３６】
該曲率は、円弧の湾曲度を示すように構成され、曲率が大きいほど、該円弧の湾曲度は大きくなる。円弧の曲率は、円弧の半径と反比例関係にあり、該画面角２０１１の曲率が該ベゼル角２０２１の曲率に等しいことを保証するため、該画面角２０１１の円弧の半径は、該ベゼル角２０２１の円弧の半径と等しいことが保証される必要がある。
【００３７】
図２Ｅに示されるように、Ｏ1は画面角２０１１の円弧の円心であり、Ｏ2はベゼル角２０２１の円弧の円心である。該画面角２０１１及び該ベゼル角２０２１の円弧の半径はいずれもＲ0である。すなわち、該画面角２０１１の曲率は、該ベゼル角２０２１の円弧の曲率と等しい。
【００３８】
別の実現可能な方式では、該４つの画面角２０１１のそれぞれに対応する中心角は、該４つのベゼル角のそれぞれに対応する中心角２０２１と等しい。
【００３９】
ある円弧について、該円弧に対応する中心角とは、頂点が該円弧に対応する円心上にあり、かつ２本の辺が該円弧の両端点を通過する角のことをいう。図２Ｆに示されるように、円Ｏ3上の一部に円弧ＧＨＩがあり、点Ｏ3は円心であり、該円弧ＧＨＩに対応する中心角は中心角ＧＯ3Ｉである。中心角ＧＯ3Ｉの線Ｏ3Ｇ及び線Ｏ3Ｉは、該円弧ＧＨＩの端点Ｇ及び端点Ｉをそれぞれ通過する
【００４０】
該４つの画面角２０１１のそれぞれに対応する中心角が該４つのベゼル角２０２１のそれぞれに対応する中心角と等しいとは、該画面角２０１１の円弧の円心が該ベゼル角２０２１の円弧の円心と等しく、かつ、該画面角２０１１の中心角の２本の線の延長線が、該ベゼル角２０２１の中心角の２本の線の延長線と重なり合うことをいう。図２Ｇに示されるように、画面角２０１１及びベゼル角２０２１に対応する中心角は、いずれもＭＯ4Ｎである。
【００４１】
別の実現可能な方式では、該ディスプレイ画面２０１は、液晶ディスプレイ画面である。該液晶ディスプレイ画面上には、複数のピクセル電極が設けられている。該液晶ディスプレイ画面を切断する工程において、該液晶ディスプレイ画面上の切除されることになる部分には、ピクセル電極が設けられている必要はない。
【００４２】
あるいは、該ディスプレイ画面は、プラズマディスプレイ画面等の他のタイプのディスプレイ画面であってもよく、本実施形態ではこれらに限定されない。
【００４３】
上述の全て選択的な技術的解決手段は、任意の組み合わせにより使用して本開示の選択的な実施形態を形成してもよく、ここでは繰り返し説明しない。
【００４４】
図３Ａは、本開示の例示の実施形態に基づく表示方法のフローチャートである。図３Ａに示されるように、該表示方法は、図３Ａ中の電子デバイスに適用され、以下のステップを含む。
【００４５】
ステップ３０１では、既定のフローティングレイヤを取得する。該既定のフローティングレイヤは、第１部分及び第２部分を含み、該第１部分は黒色のフローティングレイヤであり、該第２部分は透明のフローティングレイヤであり、該第１部分と該第２部分との間の境界線は円弧形の滑らかな曲線である。
【００４６】
該既定のフローティングレイヤの長さは、該ディスプレイ画面の長さと同じであり、該既定のフローティングレイヤの幅は、該ディスプレイ画面の幅と同じである。該ディスプレイ画面の長さとは、該ディスプレイ画面の左側の辺と右側の辺との間の距離のことをいい、該ディスプレイ画面の幅とは、該ディスプレイ画面の上側の辺と下側の辺との間の距離のことをいう。図３Ｂに示されるように、ディスプレイ画面２０１の長さはＬ１であり、幅はＬ２である。
【００４７】
該既定のフローティングレイヤは、技術者によって該電子デバイス中に設けられてもよい。また、該既定のフローティングレイヤは、該電子デバイスによって作成されてもよい。例えば、該電子デバイスは、該ディスプレイ画面のサイズ情報を取得してもよく、該サイズ情報は、該ディスプレイ画面の長さ及び幅、並びに、該ディスプレイ画面の各画面角の半径及び円弧長さ等の情報を含んでいてもよい。続いて、該電子デバイスは、該サイズ情報に基づいて既定のフローティングレイヤを作成して、それによって該既定のフローティングレイヤの長さ及び幅をそれぞれ該ディスプレイ画面の長さ及び幅と等しくしてもよい。また、該ディスプレイ画面の各画面角の半径及び円弧長さ等の情報に基づいて、該既定のフローティングレイヤを２つの部分に分割し、第１部分を黒色のフローティングレイヤに設定すると共に、第２部分を透明のフローティングレイヤに設定してもよく、ここで、該第１部分と該第２部分との間の境界線は円弧形の滑らかな曲線であり、該境界線は、該ディスプレイ画面の辺縁の内側に位置している。そして、該既定のフローティングレイヤが表示されると、該既定のフローティングレイヤの第１部分が、該ディスプレイ画面の辺縁上に表示されるコンテンツを覆い隠すことができる。
【００４８】
該既定のフローティングレイヤの４つの角は、直角であっても丸められた角であってもよく、本実施形態はこれらに限定されない。
【００４９】
ある実現可能な方式では、該境界線は、該ディスプレイ画面の丸められた画面角の辺縁の内側に位置している。
【００５０】
図３Ｃに示されるように、左上角を例に挙げると、該ディスプレイ画面２０１の左上角が直角から丸められた角となるように切断される際に、切断工程の制限のために該左上角の辺縁があまり滑らかにならず、該左上角の辺縁上における多くのピクセルがぎざぎざに形成される。これにより、該ディスプレイ画面２０１が表示を行う際に、表示されるページの辺縁が滑らかでなくなり、ユーザの観察に影響することがある。図３Ｃに示されるような該既定のフローティングレイヤの第１部分（破線）と第２部分との境界線は、該ディスプレイ画面のぎざぎざの辺縁の内側に位置しており、該ディスプレイ画面がページを表示する際に、該第１部分はぎざぎざの辺縁上に表示されるコンテンツを覆い隠すことができる。
【００５１】
ステップ３０２では、ページを表示する際に、該ページの上に該既定のフローティングレイヤを表示し、それにより該第１部分が該ページを覆い隠すようにする。
【００５２】
該電子デバイスは、該既定のフローティングレイヤを上に表示するよう設定することができる。該電子デバイスは、任意の１ページを表示しようとする度に、該ページの上に該既定のフローティングレイヤを表示してもよく、それによって該既定のフローティングレイヤの第１部分が該ページ上の該第１部分と重なり合う領域を覆い隠すが、第２部分と重なり合う領域を覆い隠さないことを保証してもよい。ユーザはページを見る際に該第２部分に重なり合う領域のみを見ることができ、該領域の辺縁は滑らかになる。
【００５３】
図３Ｄに示されるように、該黒色の領域が該第１部分であり、該第１部分は、図３Ｃに示されるようなディスプレイ画面中の丸められた角におけるぎざぎざを覆い隠すことができる。ページを表示する際に、ユーザはページの該第２部分が存在する領域、すなわち、該境界線内の領域を見ている。該領域の境界は滑らかな曲線であり、ユーザに表示されるページの境界もまた滑らかである。
【００５４】
該ページを表示する際には、該電子デバイスは、該ディスプレイ画面上の該第１部分に対応するピクセルを黒色となるように制御する。
【００５５】
該既定のフローティングレイヤのサイズは該ディスプレイ画面のサイズと一致し、両者は相互に対応し得るため、該ディスプレイ画面上の一部分のピクセルは該第１部分と対応し、別の一部分のピクセルは第２部分と対応する。該ディスプレイ画面上の該第１部分に対応するピクセルとは、該既定のフローティングレイヤの境界線の外側に位置するピクセルのことをいう。
【００５６】
本実施形態では、第１部分が表示されるページを覆い隠すことを保証するため、実際の操作の際には、該電子デバイスは、該ディスプレイ画面上の該第１部分に対応するピクセルが黒色を表示するように制御してもよい。すなわち、これらのピクセルの輝度を０に制御してもよい。それによって、４つの画面角の辺縁上に表示されるページを覆い隠す効果が達成される。
【００５７】
本実施形態において提供される方法は、既定のフローティングレイヤが第１部分及び第２部分を含み、第１部分は黒色のフローティングレイヤであり、第２部分は透明のフローティングレイヤであり、黒色のフローティングレイヤと透明のフローティングレイヤとの間の境界線は円弧形の滑らかな曲線であり、ページを表示する際に、該既定のフローティングレイヤが該ページの上に表示されて、該フローティングレイヤ中の黒いフローティングレイヤが該ページの丸められた角を覆い隠すこととなる。表示されるページ上の滑らかでない箇所が覆い隠されることによって、該ページ上の丸められた角が滑らかになり、表示効果が向上する。
【００５８】
図３Ａに示される電子デバイスにおけるディスプレイ画面の辺縁は、滑らかでない。このことは、元々のディスプレイ画面の４つの直角が丸められた角となるように切断される工程において、切断工程の条件が制限されているため、切断後の画面角が非常に粗いことによる。辺縁のピクセルはブロック形状であるため、ディスプレイ画面の辺縁がぎざぎざになり、滑らかでなくなる。ページが表示されようとする際に、該ディスプレイ画面のぎざぎざの辺縁が表示されることになり、好ましくない視覚効果をユーザにもたらすことになる。
【００５９】
該切断工程条件の制限のために辺縁が滑らかにならないという状況を無くすために、本実施形態では、該ページの上に既定のフローティングレイヤを表示する。該既定のフローティングレイヤは２つの部分に分かれており、一部分が黒色のフローティングレイヤであって、該ページの辺縁の滑らかでない箇所を覆い隠すように構成されたものであり、別の部分が透明のフローティングレイヤであって、該ページを表示するように構成されたものであり、黒色のフローティングレイヤと透明のフローティングレイヤとの間の境界線は円弧形の滑らかな曲線である。これにより、該ページ中の第２部分と重なり合う領域だけがユーザに表示されると共に、この一領域の辺縁が滑らかになり、それによって、表示されるページの辺縁が滑らかでないという問題が解決される。
【００６０】
図４は、例示の実施形態に基づく電子デバイス４００のブロック図である。例えば、電子デバイス４００は、携帯電話、コンピュータ、デジタルブロードキャスト端末、メッセージ送受信デバイス、ゲームコンソール、タブレットデバイス、医療機器、健康器具、パーソナルデジタルアシスタンス（ＰＤＡ）等であってもよい。
【００６１】
図４を参照すると、電子デバイス４００は、以下の１つ又は複数のコンポーネント、すなわち、処理コンポーネント４０２、メモリ４０４、電源コンポーネント４０６、マルチメディアコンポーネント４０８、オーディオコンポーネント４１０、入力／出力（Ｉ／Ｏ）インタフェース４１２、センサコンポーネント４１４及び通信コンポーネント４１６を含んでいてもよい。
【００６２】
処理コンポーネント４０２は、典型的には、電子デバイス４００の全体的な操作、例えば、表示、電話呼出し、データ通信、カメラ操作及び記録操作に関する操作などを制御する。処理コンポーネント４０２は、上述の方法におけるステップの全部又は一部を実施するための命令を実行する１つ又は複数のプロセッサ４２０を含んでいてもよい。さらに、処理コンポーネント４０２は、処理コンポーネント４０２と他のコンポーネントとの間の対話を容易にする１つ又は複数のモジュールを含んでいてもよい。例えば、処理コンポーネント４０２は、マルチメディアコンポーネント４０８と処理コンポーネント４０２との間の対話を容易にするマルチメディアモジュールを含んでいてもよい。
【００６３】
メモリ４０４は、電子デバイス４００の操作をサポートするための種々のタイプのデータを保存するように構成されている。このようなデータの例には、電子デバイス４００上において操作される任意のアプリケーション又は方法のための命令、連絡先データ、電話帳データ、メッセージ、ピクチャ、ビデオ等が含まれる。メモリ４０４は、任意のタイプの揮発性若しくは不揮発性メモリデバイス、又はそれらの組み合わせを用いて実装されていてもよく、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクを用いて実装されていてもよい。
【００６４】
電源コンポーネント４０６は、電子デバイス４００の種々のコンポーネントに電力を供給する。電源コンポーネント４０６は、電源管理システム、１つ又は複数の電源、及び、電子デバイス４００において電力を生成、管理及び分配することに関する任意の他のコンポーネントを含んでいてもよい。
【００６５】
マルチメディアコンポーネント４０８は、電子デバイス４００とユーザとの間に出力インタフェースを提供する画面を含む。また、該画面の４つの角は、丸められている。いくつかの実施形態では、画面は液晶ディスプレイ（ＬＣＤ）及びタッチパネル（ＴＰ）を含んでいてもよい。画面がタッチパネルを含んでいる場合には、画面はユーザからの入力信号を受信するためのタッチ画面として実装されていてもよい。タッチパネルは、タッチ、スワイプ及びタッチパネル上における他のジェスチャを感知するための１つ又は複数のタッチセンサを含む。上記タッチセンサは、タッチ又はスワイプ操作の境界を感知してもよく、それだけでなくタッチ又はスワイプ操作に関する持続時間及び圧力を感知してもよい。いくつかの実施形態では、マルチメディアコンポーネント４０８は、前面カメラ及び／又は背面カメラを含む。電子デバイス４００が撮影モード又はビデオモードのような操作モードにある際には、前面カメラ及び／又は背面カメラは、外部マルチメディアデータを受信してもよい。前面カメラ及び背面カメラはそれぞれ、固定式光学レンズシステムであってもよく、フォーカス機能及び光学ズーム機能を有していてもよい。
【００６６】
オーディオコンポーネント４１０は、オーディオ信号を出力及び／又は入力するように構成されている。例えば、オーディオコンポーネント４１０はマイク（ＭＩＣ）を含んでおり、該マイクは、電子デバイス４００が呼出しモード、記録モード及び音声認識モードのような操作モードにある際に、外部オーディオ信号を受信するように構成されている。受信されたオーディオ信号は、さらに、メモリ４０４内に保存されてもよく、通信コンポーネント４１６を経由して送信されてもよい。いくつかの実施形態では、オーディオコンポーネント４１０は、オーディオ信号を出力するためのスピーカをさらに含んでいてもよい。
【００６７】
Ｉ／Ｏインタフェース４１２は、処理コンポーネント４０２と、キーボード、クリックホイール、ボタン等の周辺インタフェースモジュールとの間に、インタフェースを提供する。該ボタンは、限定されないが、ホームボタン、ボリュームボタン、スタートボタン及びロックボタンを含んでいてもよい。
【００６８】
センサコンポーネント４１４は、電子デバイス４００における種々の様相の状態評価を提供するための１つ又は複数のセンサを含む。例えば、センサコンポーネント４１４は、電子デバイス４００のオープン／クローズ状態及びコンポーネントの相対位置を検出してもよく、例えば、該コンポーネントは、電子デバイス４００のディスプレイ及びキーパッドであってもよい。センサコンポーネント４１４はまた、電子デバイス４００又は電子デバイス４００のコンポーネントの位置の変化、電子デバイス４００とコンタクトを取っているユーザの存在又は不存在、電子デバイス４００の向き又は加速／減速、及び電子デバイス４００の温度変化を検出してもよい。センサコンポーネント４１４は、物理的接触のない状態で近くの物体の存在を検出するように構成された近接センサを含んでいてもよい。センサコンポーネント４１４はまた、撮影アプリケーションにおいて使用するための、ＣＭＯＳ又はＣＣＤイメージセンサのような光センサを含んでいてもよい。いくつかの実施形態では、センサコンポーネント４１４はまた、加速度センサ、ジャイロセンサ、磁気センサ、圧力センサ又は温度センサを含んでいてもよい。
【００６９】
通信コンポーネント４１６は、電子デバイス４００と他の装置との間の有線又は無線の通信を容易にするように構成されている。電子デバイス４００は、ＷｉＦｉ、２Ｇ若しくは３Ｇ、又はそれらの組み合わせのような通信規格に基づく無線ネットワークにアクセスすることができる。例示の一実施形態では、通信コンポーネント４１６は、ブロードキャストチャンネルを経由して、外部ブロードキャスト管理システムからのブロードキャスト信号又はブロードキャスト関連情報を受信する。例示の一実施形態では、通信コンポーネント４１６は、短距離通信を促進するための近距離通信（ＮＦＣ）モジュールをさらに含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及び他の技術に基づいて実装されていてもよい。
【００７０】
例示の実施形態では、電子デバイス４００は、上述の方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実装されていてもよい。
【００７１】
例示の実施形態では、命令を含んだメモリ４０４のような、命令を含んだ非一時的なコンピュータ読み取り可能記憶媒体もまた提供され、上記命令は、上述の方法を実施するために、電子デバイス４００のプロセッサ４２０によって実行可能である。例えば、非一時的なコンピュータ読み取り可能記憶媒体は、ＲＯＭ，ＲＡＭ、ＣＤ−ＲＯＭ、磁気テープ、フロッピーディスク及び光学データ記憶デバイス等であってもよい。
【００７２】
当業者は、明細書及び本明細書に開示された本発明の実施を考慮して、本発明の他の実施形態に容易に想到するであろう。本出願は、本発明の任意の変形、使用又は翻案に及ぶことを意図しており、これらの変形、使用又は翻案は、本発明の一般的な原理に従うものであると共に、当該技術分野における公知技術又は慣用技術の範囲内における本開示からの逸脱を含む。明細書及び実施例は単なる例示とみなされ、本発明の真の範囲及び趣旨は以下の特許請求の範囲によって示されることが意図される。
【００７３】
本開示は、上述の及び添付の図面に図示された厳密な構成に限定されるものではなく、本発明の範囲から逸脱することなく、様々な修正及び変更がなされ得ることを理解されたい。本開示の範囲は、添付の特許請求の範囲によってのみ限定される。
【図１】
2019500631.tif 000003
【図２Ａ】
2019500631.tif 000004
【図２Ｂ】
2019500631.tif 000005
【図２Ｃ】
2019500631.tif 000006
【図２Ｄ】
2019500631.tif 000007
【図２Ｅ】
2019500631.tif 000008
【図２Ｆ】
2019500631.tif 000009
【図２Ｇ】
2019500631.tif 000010
【図３Ａ】
2019500631.tif 000011
【図３Ｂ】
2019500631.tif 000012
【図３Ｃ】
2019500631.tif 000013
【図３Ｄ】
2019500631.tif 000014
【図４】
2019500631.tif 000015
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
ディスプレイ画面及びベゼルを少なくとも含み、
前記ベゼルは前記ディスプレイ画面の側面を取り囲んでおり、
前記ディスプレイ画面は４つの画面角を有し、かつ、前記４つの画面角は丸められており、
前記ベゼルは４本の辺を含んでおり、前記４本の辺のうち任意の１本の辺が他の３つの辺のうち２本の辺とそれぞれ交差すると共に１本の辺と平行となることによって４つのベゼル角を形成しており、
前記４つのベゼル角は前記４つの画面角にそれぞれ対応し、かつ、前記４つのベゼル角は丸められており、
相互に対応する画面角の頂点とベゼル角の頂点との間の距離は、既定の距離よりも小さくない、
電子デバイス。
【請求項２】
前記４つの画面角のそれぞれの曲率が前記４つのベゼル角のそれぞれの曲率と等しい、請求項１に記載の電子デバイス。
【請求項３】
前記４つの画面角のそれぞれに対応する中心角が前記４つのベゼル角のそれぞれに対応する中心角と等しい、請求項１又は２に記載の電子デバイス。
【請求項４】
前記ディスプレイ画面が液晶ディスプレイ画面である、請求項１〜３のいずれか１項に記載の電子デバイス。
【請求項５】
前記４つの画面角が、前記ディスプレイ画面の元々の４つの直角を円弧状にそれぞれ切断することによって形成される、請求項１〜４のいずれか１項に記載の電子デバイス。
【請求項６】
請求項１〜５のいずれか１項に記載の電子デバイスに適用される表示方法であって、
既定のフローティングレイヤを取得するステップであって、前記既定のフローティングレイヤは、第１部分及び第２部分を含み、前記第１部分は黒色であり、前記第２部分は透明であり、前記第１部分と前記第２部分との間の境界線は円弧形の滑らかな曲線である、ステップと、
ページを表示する際に、前記ページの上に前記既定のフローティングレイヤを表示するステップであって、それにより前記第１部分が前記ディスプレイ画面の４つの画面角の辺縁に表示されるページを覆い隠すようにする、ステップと
を含む、表示方法。
【請求項７】
ページを表示する際に、前記ページの上に前記既定のフローティングレイヤを表示する前記ステップが、
前記ページを表示する際に、前記ディスプレイ画面上の前記第１部分に対応するピクセルを黒色となるように制御することを含む、請求項６に記載の方法。
【請求項８】
前記境界線は、前記ディスプレイ画面の丸められた画面角の辺縁の内側に位置している、請求項６又は７に記載の方法。
【請求項９】
前記既定のフローティングレイヤの長さは、前記ディスプレイ画面の長さと同じであり、前記既定のフローティングレイヤの幅は、前記ディスプレイ画面の幅と同じである、請求項６〜８のいずれか１項に記載の方法。
【請求項１０】
コンピュータ上で動作する際に、請求項６〜９のいずれか１項に記載の方法を該コンピュータに実行させるための、コンピュータプログラム。
【国際調査報告】
2019500631.tif 000016
2019500631.tif 000017
2019500631.tif 000018
2019500631.tif 000019